(57)【要約】【課題】自動販売機用広告表示シートの端部を自動販売機に取り付けたとしても、撓みの発生を防止することが可能な自動販売機用広告表示シートを提供すること。【解決手段】本考案の自動販売機用広告表示シート１０は、柔軟性を有するシート体１１と、シート体１１の外縁の少なくとも一部に形成された段差部１２とを備える。かかる構成により、シート体１１の外縁の少なくとも一部に形成された段差部１２により、シート体１１が起立状態を維持できるように補強できる。このため、自動販売機用広告表示シート１０の端部を自動販売機に取り付けたとしても、自動販売機用広告表示シートの撓みを防止できる。【選択図】図７
0003126644.tif 000002
【実用新案登録請求の範囲】
【請求項１】
自動販売機に取り付けられる自動販売機用広告表示シートであって、
柔軟性を有するシート体と、
前記シート体の外縁の少なくとも一部に形成された段差部と、
を備えることを特徴とする、自動販売機用広告表示シート。
【請求項２】
前記段差部は、前記シート体の外縁のうち、前記シート体の起立状態を維持するための補強機能を発揮する範囲に形成されることを特徴とする、請求項１に記載の自動販売機用広告表示シート。
【請求項３】
前記段差部は、前記シート体の外縁のうち、前記自動販売機にして接着される前記シート体の接着縁とは異なる方向に延びる縁に形成されることを特徴とする、請求項１または２に記載の自動販売機用広告表示シート。
【請求項４】
前記自動販売機の上部に上方に向けて突き出すように取り付けられることを特徴とする、請求項１〜３のいずれかに記載の自動販売機用広告表示シート。
【請求項５】
前記段差部は、前記シート体の外縁のうち少なくとも略鉛直方向に延びる縁に形成されることを特徴とする、請求項４に記載の自動販売機用広告表示シート。
【請求項６】
前記シート体は、起立配置されたときに自立不能な程度の柔軟性を有することを特徴とする、請求項１〜５のいずれかに記載の自動販売機用広告表示シート。
【請求項７】
前記シート体を形成するための抜き型と、前記シート体の外縁に前記段差部を形成するための押し型とが装着されたプレス機を用いて、シート材料に対して、１回のプレス動作で抜き加工と型押し加工とを同時に施すことで製造されることを特徴とする、請求項１〜６のいずれかに記載の自動販売機用広告表示シート。
【考案の詳細な説明】
【技術分野】
【０００１】
本考案は、自動販売機用広告表示シートに関する。
【背景技術】
【０００２】
従来、飲料、たばこ等の各種商品を販売するための自動販売機には、商品の内容やイメージ、価格等を表示するための広告表示体が取り付けられる。この広告表示体は、自動販売機用ＰＯＰ（Ｐｏｉｎｔ  Ｏｆ  Ｐｕｒｃｈａｓｅ：販売時点広告）として機能し、購買者に対して商品の購買意欲を向上させる効果を奏する。この広告表示体としては、例えば、特許文献１に記載のように、自動販売機の前面中央部に広告表示板の全体を取り付けて、その上に広告シートを接着するものや、自動販売機の前面上部に広告表示シートを上方に向けて突き出すように取り付けるものがある。
【０００３】
このうち後者の突き出し広告表示シートは、自動販売機の上部に接着テープなどで接着されるため、既存の自動販売機に新たな広告スペースを容易に確保でき、着脱／交換も簡単であるという利点がある。従来、この突き出し広告表示シートとしては、柔軟性を有する平坦な合成樹脂シートを１枚のみ用いたものが使用されていた。
【０００４】
【特許文献１】特開２００５−１３５３４１号公報
【考案の開示】
【考案が解決しようとする課題】
【０００５】
しかしながら、上記従来の自動販売機用広告表示シートは、図１に示すように、広告表示シート１の下端部側を自動販売機２の正面上部に接着テープ３で取り付けた時に、接着テープ３より上側部分の面積が大きいと、広告表示シート１の自重や風等によって、自立を維持できずに撓みが発生してしまうという問題があった。そこで、このような撓みを防止するため、従来では、図２に示すように、接着テープ３位置を広告表示シート１の中央部よりにし、接着テープ３より上側部分の面積を極力小さくして設置していた。しかし、この結果、図３に示すように、広告表示シート１の接着テープ３より下側部分の面積が大きくなり、自動販売機２の商品や会社のロゴ等を隠してしまうという弊害が生じていた。
【０００６】
そこで、本考案は、上記問題に鑑みてなされたものであり、本考案の目的とするところは、自動販売機用広告表示シートの端部を自動販売機に取り付けたとしても、撓みの発生を防止することが可能な、新規かつ改良された自動販売機用広告表示シートを提供することにある。
【課題を解決するための手段】
【０００７】
上記課題を解決するために、本考案のある観点によれば、自動販売機に取り付けられる自動販売機用広告表示シートであって、柔軟性を有するシート体と、シート体の外縁の少なくとも一部に形成された段差部と、を備えることを特徴とする、自動販売機用広告表示シートが提供される。
【０００８】
かかる構成により、シート体の外縁の少なくとも一部に形成された段差部により、シート体が起立状態を維持できるように補強できる。このため、自動販売機用広告表示シートの端部を自動販売機に取り付けたとしても、自動販売機用広告表示シートの撓みを防止できる。
【０００９】
また、段差部は、シート体の外縁のうち、シート体の起立状態を維持するための補強機能を発揮する範囲に形成されるようにしてもよい。これにより、段差部によって、シート体が起立状態を維持できるように効果的に補強できる。
【００１０】
また、段差部は、シート体の外縁のうち、自動販売機に接着されるシート体の接着縁とは異なる方向に延びる縁に形成されるようにしてもよい。このように、シート体の接着縁とは異なる方向に延びる縁に段差部を形成することで、自動販売機用広告表示シートを自動販売機から突き出すように設置したときに、シート体が起立状態を維持できるように段差部により効果的に補強できる。
【００１１】
また、自動販売機用広告表示シートは、自動販売機の上部に上方に向けて突き出すように取り付けられるようにしてもよい。これにより、シート体の下辺を接着縁として、自動販売機用広告表示シートを上方に突き出して設置できるので、自動販売機用広告表示シートにより自動販売機の商品やロゴ等を隠さないようにできる。
【００１２】
また、段差部は、シート体の外縁のうち少なくとも略鉛直方向に延びる縁に形成されるようにしてもよい。これにより、自動販売機の上方に突き出して設置された自動販売機用広告表示シートのシート体を、シート体の略鉛直方向に延びる外縁に形成された段差部によって効果的に補強できる。
【００１３】
また、シート体は、起立配置されたときに自立不能な程度の柔軟性を有するようにしてもよい。これにより、自動販売機用広告表示シートを製造するためのシート材料を薄く軽くできるので、加工手間、材料コスト、加工コスト、運搬コストを低減できる。
【００１４】
また、シート体を形成するための抜き型と、シート体の外縁に段差部を形成するための押し型とが装着されたプレス機を用いて、シート材料に対して、１回のプレス動作で抜き加工と型押し加工とを同時に施すことで製造されるようにしてもよい。これにより、押し型が形成された特殊な抜き型を用いて、一回のプレス動作で自動販売機用広告表示シートを製造できるので、加工コストおよび加工時間を低減できる。
【考案の効果】
【００１５】
以上説明したように本考案によれば、自動販売機用広告表示シートの端部を自動販売機に取り付けたとしても、撓みの発生を防止することができる。
【考案を実施するための最良の形態】
【００１６】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１７】
まず、図４及び図５を参照して、本考案の一実施形態にかかる自動販売機用広告表示シート１０の構成について説明する。図４は、本実施形態にかかる自動販売機用広告表示シート１０を示す正面図（ａ）、平面図（ｂ）、側面図（ｃ）であり、図５は、図４（ａ）のＡ−Ａ線拡大断面図（ａ）、Ｂ−Ｂ線拡大断面図（ｂ）である。
【００１８】
図４及び図５に示すように、自動販売機用広告表示シート１０（以下、「広告表示シート１０」と称する。）は、例えば、全体として略矩形状を有する広告用のシート部材であり、広告表示体（ＰＯＰ）として自動販売機に取り付けられる。広告表示シート１０が取り付けられる自動販売機は、例えば、飲料、氷菓子等の菓子類、食品類、たばこ、新聞、雑誌、カード、交通乗車券、入場券等の各種の商品、サービスを販売する任意の自動販売機であってよい。かかる広告表示シート１０には、図示はしないが、自動販売機で販売されている商品の内容、イメージ、価格や、企業イメージ、キャンペーン、イベント等を表す文字、記号、図画などといった各種情報が印刷表示される。なお、広告表示シート１０に凹凸加工を施したり、シートの形状を特定形状に加工したりすることで、広告表示シート１０に上記各種の情報を表現することもできる。
【００１９】
かかる広告表示シート１０の材料は、例えば、ポリエチレンテレフタラート（ＰＥＴ）やポリプロピレン（ＰＰ）等の合成樹脂シート（プラスチック板）である。また、広告表示シート１０の大きさは、図示の例では、例えば、長さＬ＝６００〜８００ｍｍ、幅Ｗ＝２００〜３００ｍｍであるが、かかる例に限定されず、設置対象の自動販売機の大きさや広告内容に応じて、任意の大きさに変更可能である。
【００２０】
この広告表示シート１０は、柔軟性を有する平坦なシート体１１と、シート体１１の外縁全周に形成された段差部１２ａ、１２ｂ、１２ｃ、１２ｄ（以下、「段差部１２」と総称する場合もある。）とから構成される。詳細には、段差部１２は、矩形状のシート体１１の外縁である右辺、左辺、上辺、下辺にそれぞれ形成された右辺段差部１２ａ、左辺段差部１２ｂ、上辺段差部１２ｃ、左辺段差部１２ｄからなる。この段差部１２は、図５に示すように、シート体１１の外縁を例えばＬ字形の段差がつくように陥没させることで形成される。このＬ字形の段差部１２の底部とシート体１１との高低差ｈは、例えば１〜２ｍｍ程度である。換言すると、シート体１１は、段差部１２の底部から例えば１〜２ｍｍ程度突出している。
【００２１】
後述するように、広告表示シート１０は、上記材質からなる平坦なシート材料を所定形状に裁断及びプレス加工して製造されるが、このシート材料は、厚さが例えば０．２〜０．４ｍｍ程度と薄く、柔軟性を有する。このため、シート体１１の厚さｄも例えば０．２〜０．４ｍｍ程度となり、シート体１１は、起立配置されたときに自立不能な程度の柔軟性を有する。従って、シート体１１単体では、自動販売機に設置されて起立配置されたときに、自重等により弓なりに曲がってしまい、上述した撓みが生じてしまう（図１参照。）。
【００２２】
そこで、本実施形態にかかる広告表示シート１０では、シート体１１の外縁に上記段差部１２を形成して、この段差部１２を補強体として機能させることで、シート体１１が起立状態を維持できるように補強している。このように段差部１２を設けることで、広告表示シート１０自体の反りに対する強度を増加させ、撓みの発生を抑制することができる。
【００２３】
かかる段差部１２によりシート体１１を効果的に補強するためには、段差部１２を、シート体１１の外縁のうち、シート体１１を起立状態に維持するための補強機能を発揮する範囲に形成することが好ましい。
【００２４】
具体的には、この補強機能を発揮する範囲は、例えば、シート体１１の外縁（四辺）のうち、自動販売機に対するシート体１１の接着縁とは異なる方向に延びる縁である。詳述すると、例えば、後述の図７に示すように、シート体１１の下辺を接着縁として、自動販売機２０の上部に広告表示シート１０を上方に突き出して取り付ける場合（即ち、広告表示シート１０の下端部を自動販売機２０の上部に取り付ける場合）を考える。この場合には、少なくとも、接着縁であるシート体１１の下辺に対して直角な鉛直方向に延びる辺、即ち、シート体１１の右辺と左辺に段差部１２を形成することが、効果的な補強の観点から好ましい。一方、図示はしないが、シート体１１の右辺（又は左辺）を接着縁として、自動販売機２０の正面側部または側面に水平方向に突き出して広告表示シート１０を取り付ける場合には、少なくとも、この右辺（又は左辺）に対して直角な水平方向に延びる上辺と下辺に段差部１２を形成することが、効果的な補強の観点から好ましい。
【００２５】
以上のように、本実施形態にかかる広告表示シート１０では、広告表示がなされるシート体１１の外縁に段差部１２が形成されているので、シート体１１を効果的に補強して、シート体１１が自重等により撓まないようにできる。
【００２６】
次に、図６及び図７を参照して、上記構成の広告表示シート１０が自動販売機２０に取り付けられた状態について説明する。図６は、本実施形態にかかる広告表示シート１０における接着テープ３０の接着位置を示す正面図であり、図７は、本実施形態にかかる広告表示シート１０が取り付けられた自動販売機２０を示す正面図（ａ）および側面図（ｂ）である。
【００２７】
図６及び図７に示すように、本実施形態にかかる広告表示シート１０は、例えば、長手方向の辺であるシート体１１の下辺を接着縁として、自動販売機２０の前面上部に取り付けられる。このとき、図６に示すように、広告表示シート１０の裏面の下辺に沿って両面接着テープ３０の一面を貼り付け、さらに、図７に示すように、当該両面接着テープ３０の他面を自動販売機２０の正面上部に接着する。これにより、広告表示シート１０は、下端部で自動販売機２０の前面上部に接着され、その接着部分より上側部分が自動販売機２０の上方に突き出すようにして取り付けられる。
【００２８】
このように、広告表示シート１０を自動販売機２０の前面に取り付けた場合には、シート体１１の外縁（四辺）のうち、略鉛直方向に延びる縁（即ち、右辺と左辺）に、右辺段差部１２ａと左辺段差部１２ｂとが形成されているので、シート体１１の起立状態を効果的に補強でき、広告表示シート１０が撓むことを効果的に防止できる。さらに、本実施形態にかかる広告表示シート１０では、シート体１１の右辺と左辺のみならず、上辺及び下辺にも上辺段差部１２ｃと下辺段差部１２ｄが形成されている。これにより、右辺段差部１２ａと左辺段差部１２ｂとを上辺段差部１２ｃと下辺段差部１２ｄとによって連結して、シート体１１の外縁全周を取り囲むようなフレーム状の補強体を構成できるので、シート体１１のねじれ方向の変形も防止できる。このため、右辺段差部１２ａと左辺段差部１２ｂのみを形成した場合と比べて、より強固にシート体１１を補強して、撓みを抑制できる。
【００２９】
以上のように、本実施形態にかかる広告表示シート１０は、段差部１２により撓みを抑制できるので、従来の広告表示シート１（図１〜４参照。）と比べて、より下部に接着テープ３０を貼って、接着テープ３０より上側部分の面積を極力大きくして（図６参照）、自動販売機２０の上部に上方に大きく突き出すように設置できる（図７参照。）。従って、自動販売機２０の前面にある商品やロゴ等を隠すことなく、広告表示シート１０を設置することが可能である。また、自動販売機２０の前面サイド部や側面に、左右方向に突き出すようにして広告表示シート１を設置する場合にも、段差部１２により広告表示シート１の撓みを防止でき、自動販売機２０前面の商品やロゴ等を隠すことなく、広告表示シート１０を設置可能である。
【００３０】
次に、従来の広告表示シート１及び本実施形態にかかる広告表示シート１０の製造方法について説明する。まず、図８及び図９を参照して、従来の広告表示シート１の製造方法について説明する。図８は、従来の広告表示シート１の製造に用いられる裁断機４を示す平面図であり、図９は、図８の裁断機４を用いた従来の広告表示シート１の製造方法を示す工程図である。なお、図９は、図８の裁断機４のＸ−Ｘ断面を示している。
【００３１】
従来の広告表示シート１は、段差部１２がない平坦なシートであるため、図８及び図９に示すように、裁断機４による抜き加工（裁断加工）のみで製造可能である。この裁断機４は、広告表示シート１の仕上がり形状に対応した矩形状の裁断刃５を有する下型６と、平坦な押圧面を有する上型７とを備えている。
【００３２】
かかる裁断機４を用いて従来の広告表示シート１を製造する場合、まず、下型６と上型７との間に、プラスチック板等からなるシート材料８を挿入・配置する（図９（ａ）（ｂ）参照）。次いで、上型７を下降させて下型６の裁断刃５に押圧して、裁断刃５によってシート材料８を矩形状に裁断した後に、上型７を上昇させる（図９（ｃ）、図９（ｄ）参照）。これにより、シート材料８から、全体が平坦な従来の広告表示シート１が抜き加工されて、最終製品が完成する（図９（ｅ）参照）。
【００３３】
次に、図１０，図１１を参照して、本実施形態にかかる広告表示シート１０の製造方法について説明する。図１０は、本実施形態にかかる広告表示シート１０の製造に用いられるプレス機４０を示す平面図であり、図１１は、図１０のプレス機４０を用いた本実施形態にかかる広告表示シート１０の製造方法を示す工程図である。なお、図１１は、図１０のプレス機４０のＹ−Ｙ断面を示している。
【００３４】
図１０及び図１１に示すように、プレス機４０の下型４６と上型４７は、シート体１１を形成するための抜き型４５と、シート体１１の外縁に段差部１２を形成するための押し型４４とを共に備えている。抜き型４５は、下型４６に形成された裁断刃４５ａと、上型４７に形成された受け部４５ｂとから構成され、この裁断刃４５ａ及び受け部４５ｂは、広告表示シート１０の仕上がり形状に対応した矩形状を有する。また、押し型４４は、下型４６に形成された受け段差４４ａと、上型４７に形成された押圧段差４４ｂとから構成され、この受け段差４４ａ及び押圧段差４４ｂは、広告表示シート１０の段差部１２に対応するような段差を有し、全体として矩形状を有している。
【００３５】
本実施形態にかかる広告表示シート１０の製造方法では、上記抜き型４５及び押し型４４を備えたプレス機４０を用いて、シート材料８に対して、１回のプレス動作で抜き加工と型押し加工とを同時に施すことで、広告表示シート１０を製造するようになっている。
【００３６】
詳細には、図１１に示すように、まず、下型４６と上型４７との間に、シート材料８を挿入・配置する（図１１（ａ）（ｂ）参照）。このシート材料８は、例えば、自立できない程度の柔軟性を有する合成樹脂シート（例えば、ＰＥＴ、ＰＰ等のプラスチック板）からなり、その厚さは例えば０．２〜０．４ｍｍである。次いで、上型４７を下降させて、シート材料８を間に挟み込んだ状態で、抜き型４５の裁断刃４５ａと受け部４５ｂとを密接させるとともに、押し型４４の受け段差４４ａと押圧段差４４ｂとを密接させる。これにより、抜き型４５によりシート材料８を矩形状に裁断してシート体１１が形成されると共に、押し型４４により、シート体１１の外縁を型押して所望形状の段差部１２が形成される（図１１（ｃ））。その後、上型４７を上昇させる（図１１（ｄ）参照）。このようにして、プレス機４０により抜き加工と型押し加工を同時に施すことにより、シート材料８から、シート体１１の外縁に段差部１２が形成された広告表示シート１０を製造できる（図１１（ｅ）参照）。
【００３７】
以上のように、本実施形態では、抜き型４５と押し型４４が共に装着されたプレス機４０を使用することにより、一度のプレスで抜き加工と型押し加工を同時に行って、広告表示シート１０を製造できる。このように抜き加工と同時に型押し加工を施すことにより、従来の成型品よりも短時間かつ低コストで、広告表示シート１０を製造することができる。
【００３８】
以上、添付図面を参照しながら本考案の好適な実施形態について説明したが、本考案は係る例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００３９】
例えば、広告表示シート１０の形状は、上記実施形態のような矩形状に限定されず、正方形、平行四辺形、台形、菱形、三角形、五角形、六角形等の各種の多角形や、円形、半円形、楕円形、半楕円形、矩形状に突出部を設けた形状（例えば図１２（ｅ）参照）など、任意の形状であってよい。なお、図１２（ａ）〜（ｆ）は、本発明の広告表示シートの変更例１０Ａ〜１０Ｆを示す正面図である。
【００４０】
また、上記実施形態では、広告表示シート１０を自動販売機２０に取り付ける取付手段として、両面接着テープ３０を用いたが、本考案はかかる例に限定されない。取付手段として、例えば、糊、接着剤等の各種の接着手段や、ネジ、クリップ、バインダー等の固定部材を利用してもよいし、或いは、自動販売機２０に形成された差し込みスリットに広告表示シート１０を差し込んで取り付けてもよい。
【００４１】
また、上記実施形態では、シート体１１の外縁全周（四辺）に段差部１２を形成したが、本考案はかかる例に限定されず、シート体１１の外縁のうち、段差部がシート体１１の起立状態を維持するための補強機能を発揮する範囲であれば、任意の位置に段差部を形成することができる。さらに、効率的な補強の観点からは、段差部は、自動販売機２０にして接着されるシート体１１の接着縁（例えば下辺）とは異なる方向に延びる縁（例えば右辺及び左辺）に段差部を形成することが好ましく、また、シート体１１の長辺を接着縁とし、シート体１１の短辺に段差部を形成することが好ましい。
【００４２】
例えば、広告表示シート１０の長辺である下辺を接着縁として、広告表示シート１０を自動販売機２０の上部に上方に突き出して取り付ける場合には、図１２（ａ）、（ｃ）、（ｅ）等に示すように、シート体１１の左辺と右辺にのみ段差部（即ち、右辺段差部１２ａと左辺段差部１２ｂ）を形成し、上辺と下辺には段差部を形成しないようにしてもよい。逆に、広告表示シート１０の左辺又は右辺を接着縁として、自動販売機２０の正面側部又は側面に側方に突き出して取り付ける場合には、シート体１１の上辺と下辺にのみ段差部（即ち、上辺段差部１２ｃと下辺段差部１２ｄ）を形成してもよい。
【００４３】
また、図１２（ｂ）に示すように、シート体１１の外縁のみならず、シート体１１の内部を縦断若しくは横断するように内部段差部１２ｅを形成してもよい。この内部段差部１２ｅによって、シート体１１を更に強固に補強して、撓みを更に抑制できる。また、図１２（ｃ）、（ｄ）に示すように、シート体１１の内部に、各種の図形、文字等を表す表示用段差部１２ｆを形成してもよい。この表示用段差部１２ｆにより、各種の情報を広告表示できると共に、シート体１１の補強を増強して撓みを更に抑制できる。また、図１２（ｆ）に示すように、シート部１１の直線的な外縁のみならず、曲線的な外縁に段差部１２ｇを形成してもよい。
【００４４】
また、上記実施形態では、段差部１２の断面形状はＬ字形であったが、本考案はかかる例に限定されず、シート体１１が起立状態を維持できるように補強するものであれば、段差部１２の断面形状として任意の形状を採用できる。例えば、図１３に示すように、段差部１２の断面形状は、鈎型（図１３（ａ）参照）、階段形状（図１３（ｂ）参照）、四半円形状（図１３（ｃ）参照）、半円形状（図１３（ｄ）参照）、Ｖ字形（図１３（ｅ）参照）、波形（図１３（ｆ）参照）などであってもよい。
【図面の簡単な説明】
【００４５】
【図１】従来の広告表示シートが取り付けられた自動販売機を示す側面図である。
【図２】従来の広告表示シートにおける接着テープの接着位置を示す正面図である。
【図３】従来の広告表示シートが取り付けられた自動販売機を示す正面図である。
【図４】本考案の一実施形態にかかる広告表示シートを示す正面図（ａ）、平面図（ｂ）、側面図（ｃ）である。
【図５】図４（ａ）のＡ−Ａ線拡大断面図（ａ）、Ｂ−Ｂ線拡大断面図（ｂ）である。
【図６】同実施形態にかかる広告表示シートにおける接着テープの接着位置を示す正面図である。
【図７】同実施形態にかかる広告表示シートが取り付けられた自動販売機を示す正面図（ａ）および側面図（ｂ）である。
【図８】従来の広告表示シートの製造に用いられる裁断機を示す平面図である。
【図９】図８の裁断機を用いた従来の広告表示シートの製造方法を示す工程図である。
【図１０】本考案の一実施形態にかかる広告表示シートの製造に用いられるプレス機を示す平面図である。
【図１１】図１０のプレス機を用いた本実施形態にかかる広告表示シートの製造方法を示す工程図である。
【図１２】同実施形態にかかる広告表示シートの形状の変更例を示す正面図である。
【図１３】同実施形態にかかる広告表示シートの段差部の変更例を示す正面図である。
【符号の説明】
【００４６】
８        シート材料
１０      広告表示シート
１１      シート体
１２      段差部
１２ａ    右辺段差部
１２ｂ    左辺段差部
１２ｃ    上辺段差部
１２ｄ    下辺段差部
２０      自動販売機
３０      接着テープ
４０      プレス機
４４      押し型
４４ａ    受け段差
４４ｂ    押圧段差
４５      抜き型
４５ａ    裁断刃
４５ｂ    受け部
４６      下型
４７      上型
【図１】
0003126644.tif 000003
【図２】
0003126644.tif 000004
【図３】
0003126644.tif 000005
【図４】
0003126644.tif 000006
【図５】
0003126644.tif 000007
【図６】
0003126644.tif 000008
【図７】
0003126644.tif 000009
【図８】
0003126644.tif 000010
【図９】
0003126644.tif 000011
【図１０】
0003126644.tif 000012
【図１１】
0003126644.tif 000013
【図１２】
0003126644.tif 000014
【図１３】
0003126644.tif 000015